(57)【特許請求の範囲】
【請求項１】
四角形の底壁(16〜19)と、該底壁(16〜19)の四辺(e,f)に連接するとともに周方向に連続する四面の側壁(11〜14)と、二面の側壁(11,14)の上辺(k)に折り曲げ可能に連接した蓋板(20,21)と、該蓋板(20,21)に折り曲げ可能に連接した取っ手片(22,23)と、該取っ手片(22,23)と係合するように他の側壁(12,13)に設けられた取っ手保持片(28)とを備えた、ブランク(1)を折り曲げ形成してなる取っ手付き紙箱であって、
第１対の隣り合う側壁(12,13)と蓋板(20,21)とのコーナー部が、そのコーナーを通る蓋板(20,21)上の対角線に略直交し、かつ上記第１対の隣り合う側壁(12,13)のそれぞれ上辺の線分を略二等分した上辺(p,q)の端点間に連続する線(r)を通る傾斜面(24)によって面取りされ、上記取っ手保持片(28)は、該傾斜面(24)の上辺(r)に折り曲げ可能に連接し、
上記蓋板(20,21)が、第２対の隣り合う側壁(11,14)の上辺(k)に折り曲げ可能に連接するとともに、上記取っ手片(22,23)は、その側端から上記取っ手保持片(28)側へ突出する凸部(22d,23a)を有し、該取っ手保持片(28)は、該凸部(22d,23a)を挿入可能なスリット(28a)と、該スリット(28a)に連接する切り込み(28b)とを備え、該切り込み(28b)は、該取っ手片(22,23)と取っ手保持片(28)を蓋板(20,21)側へ折り畳んだときに該取っ手片(22,23)の凸部(22d,23a)が移動可能なように円弧状に形成され、上記取っ手片(22,23)が、箱を組み立てた状態において、各蓋板(20,21)に対して上記対角線上で折り曲げ可能に連接したことを特徴とする取っ手付き紙箱。
【請求項２】
上記底壁(16〜19)は、上記各側壁(11〜14)の下辺(e,f)に折り曲げ可能に連接した４枚の底壁構成片(16a〜19a)からなり、該底壁構成片(16a〜19a)は、箱の一つの対角をはさんで隣り合ったもの同士がその対角を通る対角線に沿って折り曲げ可能に連接し、各底壁構成片(16a〜19a)は、底壁の四辺(e,f)に平行な辺(h,j)で該底壁構成片(16a〜19a)に折り曲げ可能に連接した仕切り片(16c,17b,18c,19b)を備え、さらに、連接した対の底壁構成片(16a,17a)(18a,19a)に形成された仕切り片(16c,17b)(18c,19b)同士が、側壁(11〜14)の側辺(a〜d)に平行な辺(i)で折り曲げ可能に連接し、上記底壁構成片(16a,18a)と仕切り片(16c,18c)との間に形成された係止部(16e,18e)が、底壁を形成した状態において、上記係止部(16e,18e)同士のかみ合いによって保持されることを特徴とする請求項１記載の取っ手付き紙箱。
【発明の詳細な説明】
【０００１】
【発明の属する技術分野】
本発明は、ブランクを折り曲げて組み立てる取っ手付き紙箱に関する。
【０００２】
【従来の技術】
従来、例えば日本酒等の飲料は、比較的小さな３本の瓶を、取っ手付きの紙箱に箱詰めして販売される場合がある。この場合、取っ手付き紙箱には、瓶を横に３本並べて収納できるように横長にしたものや、水平断面をほぼ三角形にして瓶を三角に並べて収納できるようにしたものなどを用いることができる。
【０００３】
しかし、横長の箱では、置いたときに倒れやすく、安定性が悪いという点で問題がある。また、断面がほぼ三角形の箱は、異形であるために、自動製函（ブランクから箱の底面を組み立てるまでの工程を機械装置で行うこと）が困難で、しかも、出荷時に輸送用の段ボール箱にぴったりと詰めることが困難である。
【０００４】
一方、水平断面がほぼ正方形か、または幅の広い長方形の箱を用いれば、これらの問題は生じないが、底面を縦横の中心線で４つに仕切って瓶を３本入れた場合には、瓶３本の重心が箱の中心からずれるためにバランスが悪くなり、持ちにくくなることが考えられる。
【０００５】
【発明が解決しようとする課題】
したがって、本発明の解決すべき技術的課題は、瓶等を３本入れて持った場合にバランスを良くすることのできる四角形の箱を提供することであり、さらに、この箱を、安定性が良く、自動製函が容易で出荷時の箱詰めに適したものとすることである。
【０００６】
【課題を解決するための手段及び作用・効果】本発明に係る取っ手付き紙箱は、ブランクを折り曲げ形成してなる取っ手付き紙箱であって、四角形の底壁と、該底壁の四辺に連接するとともに周方向に連続する四面の側壁と、二面の側壁の上辺に折り曲げ可能に連接した蓋板と、該蓋板に折り曲げ可能に連接した取っ手片と、該取っ手片と係合するように他の側壁に設けられた取っ手保持片とを備え、上述の技術的課題を解決するために、第１対の隣り合う側壁と蓋板とのコーナー部が、そのコーナーを通る蓋板上の対角線に略直交し、かつ上記第１対の隣り合う側壁のそれぞれ上辺の線分を略二等分した上辺の端点間に連続する線を通る傾斜面によって面取りされ、取っ手保持片が、この傾斜面の上辺に折り曲げ可能に連接して形成され、さらに、蓋板が、第２対の隣り合う側壁の上辺に折り曲げ可能に連接して形成されるとともに、取っ手片は、その側端から取っ手保持片側へ突出する凸部を有し、該取っ手保持片は、該凸部を挿入可能なスリットと、該スリットに連接する切り込みとを備え、該切り込みは、該取っ手片と取っ手保持片を蓋板側へ折り畳んだときに該取っ手片の凸部が移動可能なように円弧状に形成され、取っ手片が、箱を組み立てた状態において、各蓋板に対して上記対角線上で折り曲げ可能に連接したことを特徴としている。
【０００７】
上記構成においては、箱の上端コーナー部の１ケ所が傾斜面で面取りされているので、蓋板の対角線上に形成した取っ手片は、箱の中心からずれて位置する。このため、箱の中に３本の瓶を三角形に配置して収納する場合に面取りの下には瓶を入れないようにしたうえで面取りの大きさを調整すれば、取っ手片の中心を３本の瓶の重心に合わせることができるので、箱を持った場合のバランスを良くすることができる。また、このように持ったときのバランスを良くするために箱を横長にしなくてもよいので、箱の安定性を良くすることができる。さらに、この箱は、四角形であるから、自動製函が容易で、かつ出荷時の箱詰めにも適している。
【０００９】
このように構成すれば、取っ手片と取っ手保持片を、取っ手片の凸部を取っ手保持片の切り込みに沿って移動させながら、蓋板側へ折り畳むことができる。したがって、取っ手片と取っ手保持片を折り畳んだ状態で蓋板がほぼ平坦になるから、店頭などで箱を積み重ねて陳列することができる。
【００１０】
また、上記構成においては、底壁を、各側壁の下辺に折り曲げ可能に連接した４枚の底壁構成片から構成するとともに、底壁構成片を、箱の一つの対角をはさんで隣り合ったもの同士がその対角を通る対角線に沿って折り曲げできるように連接し、さらに各底壁構成片に、底壁の四辺に平行な辺で底壁構成片に折り曲げ可能に連接した仕切り片を設けるとともに、連接した対の底壁構成片に形成された仕切り片同士を、側壁の側辺に平行な辺で折り曲げ可能に連接し、さらにまた、底壁構成片と仕切り片との間に形成された係止部が、底壁を形成した状態において、係止部同士のかみ合いによって保持される構成とすることが好ましい。
【００１１】
このように構成すれば、箱を折り畳んだ状態では底壁構成片と仕切り片は側壁に沿って折り畳まれるが、仕切り片の下辺が底壁の四辺に平行で側片が側壁の側辺に平行であるため、箱を組み立てるときの各底壁構成片の組み合わさる動きに伴って、仕切り片が底壁から立ち上がるとともに底壁が形成固定される。このとき、箱の中は、底壁の四辺に平行に、４つに分割されることになる。したがって、このうち、傾斜面の下の位置をのぞく３ヶ所に瓶等を収納し、かつその重心に取っ手の中心を合わせるようにすれば、箱を持ったときのバランスを良くすることができる。
【００１２】
【発明の実施の形態】
以下に、本発明に係る取っ手付き紙箱の実施の形態を、図１から図６を用いて詳細に説明する。図１はこの紙箱を組み立てるためのブランクの平面図、図２から図４はそれぞれ箱の組み立て状態を段階的に示す平面図ないし斜視図、図５は完成した箱の斜視図、図６は取っ手片を畳んだ状態の斜視図である。なお、この箱は、酒などの入った瓶３本とグラス等の景品とを収納して、手でバランス良く持つことができる箱として構成されている。なお、以下の説明において、各部の名称のうち、「構成片」を含む名称は箱を組み立てる前の各部の名称として用いており、箱を組み立てた後は「構成片」を含まない名称を用いている。
【００１３】
この箱のブランク１は、折り罫ａ〜ｄを介して左右に連続する４枚の側壁構成片１１〜１４及び貼着片１５を有し、各側壁構成片１１〜１４は、箱の水平断面を正方形にするように、それぞれ、幅が同一に形成されている。
【００１４】
各側壁構成片１１〜１４の下端には、それぞれ、折り罫ｅ，ｆを介して、底壁構成片１６〜１９が形成されている。底壁構成片１６と１８は、第１フラップ１６ａと１８ａ、第２フラップ１６ｂと１８ｂ、第３フラップ（仕切り片構成片）１６ｃと１８ｃ、及び第４フラップ１６ｄと１８ｄから構成されており、各フラップ１６ａ〜１６ｄ及び１８ａ〜１８ｄは、それぞれ、折り罫ｇ〜ｉで折り曲げることができるようになっている。また、底壁構成片１７と１９は、折り罫ｊを介して連接した、第１フラップ１７ａと１９ａ、及び第２フラップ（仕切り片構成片）１７ｂと１９ｂから構成されている。なお、折り罫ｇは、折り罫ｅに対して４５°の角度で傾斜しており、組立時に箱の対角線に沿うようになっている。
【００１５】
外側の２枚の側壁構成片１１及び１４の上端には、それぞれ、折り罫ｋを介して蓋板構成片２０及び２１が連接している。この蓋板構成片２０及び２１には、さらに、折り罫ｌを介して取っ手片２２及び２３が形成されている。折り罫ｌは、箱の対角線上に位置するように折り罫ｋに対して４５°の角度で傾斜しており、組立時に、その対角線上で取っ手片構成片２２と２３が重なるようになっている。
【００１６】
取っ手片構成片２２は、折り罫ｌの中央部分に沿って形成されたスリット２２ｂとその両端から折り罫ｌに直角に形成された切り込み２２ｃとによって形成された折り曲げ片２２ａを備えている。蓋板構成片２１には、２つに分離した折り罫ｌの中央部分から取っ手片２３側に向かって設けられた切り込み２１ｂによって、取っ手片構成片２３側へ突出する押さえ片２１ａが形成されている。また、取っ手片構成片２２，２３は、それぞれ、図の上端部に、凸部２２ｄ，２３ａを有している。
【００１７】
図において左から２面目の側壁構成片１２には、右上のコーナー部に、傾斜した折り罫ｍを介して、三角形の傾斜面構成片２４が連接している。また、右から２面目の側壁１３には、折り罫ｃの延長線に対して折り罫ｍと左右対称な折り罫ｎを介して、フラップ２５が形成されている。傾斜面構成片２４は折り罫ｏで折り曲げ可能に構成された差し込み保持片２４ａを備え、フラップ２５と側壁１３の間の折り罫ｎ上には、箱の組立時に差し込み保持片２４ａを挿入するためのスリット２５ａが形成されている。また、箱を組み立てたとき、傾斜面２４は、上辺である折り罫ｒが、傾斜面を形成したコーナーを通る蓋板上の対角線に直交するようにようになっている。
【００１８】
側壁構成片１２，１３には、その上辺である折り罫ｐ，ｑを介してフラップ２６，２７が形成されている。また、傾斜面構成片２４には、折り罫ｒを介して取っ手保持片構成片２８が形成されている。取っ手保持片構成片２８は、箱の組立時に取っ手片２２，２３の凸部２２ｄ，２３ａを挿入するためのスリット２８ａと、箱を組み立てた状態で取っ手片２２，２３と取っ手保持片２８を蓋板２１，２２側へ倒したときに取っ手片２２，２３の凸部２２ｄ，２３ａが移動可能なように円弧状に形成された切り込み２８ｂとを有している。
【００１９】
次に、図２から図５を用いて箱の組立方法について説明する。まず、図２に示すように、底壁構成片１６〜１９を、折り罫ｅ，ｆで、図の裏側へ折り曲げる。次に、底壁構成片１６，１８の第２フラップ１６ｂ，１８ｂを、折り罫ｇによって、第１フラップ１６ａ，１８ａに対して側壁構成片１１，１３と反対側へ折り曲げる。
【００２０】
次に、側壁構成片１１と１４を折り罫ｂとｄで裏向きに折り曲げ（図３）、側壁構成片１１が１２に、１４が１３に重なった状態で貼着片１５を側壁構成片１４の端部の内面に貼着する。また、このとき、底壁構成片１６及び１８の第２フラップ１６ｂ及び１８ｂを、底壁構成片１７及び１９の第１フラップ１７ａ及び１９ａに重なった位置で貼着するとともに、底壁構成片１６及び１８の第４フラップ１６ｄ及び１８ｄを、底壁構成片１７及び１９の第２フラップ１７ｂ及び１９ｂに、同じく重なった位置で貼着する。このことにより、底壁構成片１６と１７、１８と１９が、それぞれ、一体化することになる。
【００２１】
次に、図４に示すように、各側壁構成片１１〜１４を、隣り合ったもの同士が直角になるように折り曲げ、さらに傾斜面構成片２４とフラップ２５を折り罫ｍ，ｎで折り曲げるとともに差し込み保持片２４ａをスリット２５ａに差し込んで、箱の形にする。底壁構成片１６，１７の第１フラップ１６ａ，１７ａ同士、及び底壁構成片１８，１９の第１フラップ１８ａ，１９ａ同士が、それぞれ、４５°に傾斜した折り罫ｇを介してつながった状態となっているので、このときの側壁構成片１１〜１４の動きに伴って各第１フラップ１６ａ〜１９ａが箱の下向きに広がり、底壁が形成される。なお、底壁構成片１６，１８の第１フラップ１６ａ，１８ａの先端部には、図１に示すように、第３フラップとの間に切り線を設けることにより係止部１６ｅ，１８ｅが形成されており、各第１フラップ１６ａ〜１９０ａで底壁を形成した状態が、この係止部１６ｅ，１８ｅ同士のかみ合いによって保持されるようになっている。
【００２２】
このように各第１フラップ１６ａ〜１９ａは箱の底面に沿って広がることになるが、底壁構成片１６，１８の第３フラップ１６ｃ，１８ｃと底壁構成片１７，１９の第２フラップ１７ｂ，１９ｂは、垂直な折り罫ｉを介してつながっているので、各側壁構成片１１〜１４と平行な状態を保ったまま、箱の中心へ向かって移動する。そして、図４の状態において、箱の底壁から十字に立ち上がった形となり、内容物である３本の瓶と１個のグラスの仕切りを形成するようになっている。
【００２３】
次に、蓋板構成片２０，２１を折り罫ｋで箱の内側へ向かって折り曲げて箱の上面を覆うとともに、取っ手片構成片２２，２３を折り罫ｌで蓋板構成片２０，２１に直角に折り曲げて重ね合わせ、さらに、取っ手保持片構成片２８を内側（取っ手片２２，２３側）へ倒して、スリット２８ａを凸部２２ｄ，２３ａに引っかけることにより、箱の組立が完了する（図５）。
【００２４】
このように、上記構成においては、箱の上端コーナー部の１ケ所を傾斜面２４で面取りしているので、蓋板２０，２１の対角線上に形成した取っ手片２２，２３が、箱の中心からずれて位置する。したがって、仕切り片１６ｂ，１７ｂ，１８ｂ，１９ｂで仕切られた箱の中の４つのスペースのうち、傾斜面の下のスペースに軽量のグラスを入れるとともに他の３つのスペースに瓶を入れ、かつ、面取りの大きさ並びに取っ手片２２，２３の長さを調整すれば、取っ手片２２，２３の中心を３本の瓶の重心に合わせることができるから、箱を持ったときのバランスを良くすることができる。また、このように、手に持ったときの箱のバランスを取るために横長の箱を用いなくてもよいので、箱の安定性も良くすることができる。また、この箱は、上述したように組立が簡単で、自動製函にも適している。さらに、箱が断面正方形であるため、出荷時の箱詰めにも適している。
【００２５】
一方、上記構成においては、取っ手片２２，２３と取っ手保持片２８を、取っ手片２２，２３の凸部２２ｄ，２３ａを取っ手保持片２８の切り込み２８ｂに沿って移動させながら、蓋板２０，２１側へ折り畳むことができる（図６）。したがって、取っ手片と取っ手保持片を折り畳んだ状態で蓋板が平坦になるから、店頭などにおいて、商品を箱に入れたままで積み重ねて陳列することができる。
【００２６】
なお、上記構成においては、各側壁構成片１１〜１４の幅を同一に構成して箱の水平断面を正方形にしているが、取っ手片２２，２３と取っ手保持片２８とが直角になるようにすれば、長方形断面にしてもよい。
【図面の簡単な説明】
【図１】  本発明の一実施形態に係る取っ手付き紙箱を組み立てるためのブランクの平面図である。
【図２】  箱の第１の組み立て段階を示す平面図である。
【図３】  箱の第２の組み立て段階を示す平面図である。
【図４】  箱の第３の組み立て段階を示す斜視図である。
【図５】  完成した箱を示す斜視図である。
【図６】  取っ手を畳んだ状態を示す斜視図である。
【符号の説明】
１              ブランク
１１〜１４      側壁構成片
１５            貼着片
１６〜１９      底壁構成片
１６ａ，１８ａ  第１フラップ
１６ｂ，１８ｂ  第２フラップ
１６ｃ，１８ｃ  第３フラップ（仕切り片）
１６ｄ，１８ｄ  第４フラップ
１６ｅ，１８ｅ  係止部
１７ａ，１９ａ  第１フラップ
１７ｂ，１９ｂ  第２フラップ（仕切り片）
２０，２１      蓋板構成片
２１ａ          押さえ片
２１ｂ          切り込み
２２，２３      取っ手片構成片
２２ａ          折り曲げ片
２２ｂ          スリット
２２ｃ          切り込み
２２ｄ，２３ａ  凸部
２４            傾斜面構成片
２４ａ          差し込み保持片
２５            フラップ
２５ａ          スリット
２６，２７      フラップ
２８            取っ手保持片構成片
２８ａ          スリット
２８ｂ          切り込み
ａ〜ｒ          折り罫
【図１】
0003813253.tif 000002
【図２】
0003813253.tif 000003
【図３】
0003813253.tif 000004
【図４】
0003813253.tif 000005
【図５】
0003813253.tif 000006
【図６】
0003813253.tif 000007